(57)【要約】【課題】スピニングリールにおいて、固定軸を第１ベール支持部材に固定する固定ボルトを緩みにくくする。【解決手段】この釣り糸案内機構は、第１ベール支持部材４０と、固定軸４３と、ガイドローラ４１と、固定軸カバー４４と、固定ボルト４６と、回り止め部材４７と、を備えている。固定軸４３は、支持部４３ｃと、支持部４３ｃの先端部に形成され第１ベール支持部材４０に係合する係止部４３ｄと、を有し、第１ベール支持部材４０に相対回転不能に固定されている。固定軸カバー４４は固定軸４３の先端側に配置されている。固定ボルト４６は、非円形頭部４６ａを有し、固定軸４３を第１ベール支持部材４０に固定する。回り止め部材４７は、第１ベール支持部材４０に着脱自在に装着され、非円形頭部４６ａの外周部に接触して固定ボルトを回り止めする。【選択図】図６
2012105672.tif 000002
【特許請求の範囲】
【請求項１】
第１ロータアームと、前記第１ロータアームと対向して配置された第２ロータアームと、を有するロータに設けられ、釣り糸をスプールに案内するスピニングリールの釣り糸案内機構であって、
前記第１ロータアームに揺動自在に装着された第１ベール支持部材と、
支持部と、前記支持部の先端部に形成され前記第１ベール支持部材に係合する係止部と、を有し、前記第１ベール支持部材に相対回転不能に固定された固定軸と、
前記固定軸の支持部に回転自在に支持され、前記釣り糸を案内するラインローラと、
前記固定軸の先端側に配置された固定軸カバーと、
非円形の外周部を有し、前記固定軸に螺合して前記固定軸を前記第１ベール支持部材に固定する固定部材と、
前記第１ベール支持部材に着脱自在に装着され、前記非円形の外周部に接触して前記固定部材を回り止め可能な回り止め部材と、
を備えた、スピニングリールの釣り糸案内機構。
【請求項２】
前記固定軸は雌ねじ部を有し、
前記固定部材は、前記非円形の外周部としての非円形頭部を有し、前記雌ねじ部に螺合する固定ボルトであり、
前記第１ベール支持部材は、少なくとも１つのねじ込み穴を有し、
前記回り止め部材は、前記第１ベール支持部材のねじ込み穴にねじ込まれ、前記固定部材を回り止めする回り止めボルトであり、
前記第１ベール支持部材は、外側面から前記固定ボルトの非円形頭部及び前記回り止めボルトが突出しないように、前記固定ボルト及び前記回り止めボルトを収納可能な凹部を有している、
請求項１に記載のスピニングリールの釣り糸案内機構。
【請求項３】
前記固定軸は雄ねじ部を有し、
前記固定部材は前記雄ねじ部に螺合する固定ナットであり、
前記第１ベール支持部材は、少なくとも１つのねじ込み穴を有し、
前記回り止め部材は、前記第１ベール支持部材のねじ込み穴にねじ込まれ、前記固定部材を回り止めする回り止めボルトであり、
前記第１ベール支持部材は、外側面から前記固定ナットの非円形の外周部及び前記回り止めボルトが突出しないように、前記固定ナット及び前記回り止めボルトを収納可能な凹部を有している、
請求項１に記載のスピニングリールの釣り糸案内機構。
【請求項４】
前記回り止めボルトは、すり割り付きのホローセットスクリューである、請求項２又は３に記載のスピニングリールの釣り糸案内機構。
【請求項５】
前記第１ベール支持部材の凹部は非円形であり、
前記第１ベール支持部材は２つのねじ込み穴を有し、前記２つのねじ込み穴は、前記非円形凹部内に前記固定部材の中心から同じ半径位置に前記回り止めボルトが前記非円形の外周部に接触可能に間隔を隔てて配置されている、請求項２から４のいずれかに記載のスピニングリールの釣り糸案内機構。
【請求項６】
前記第２ロータアームに揺動自在に装着された第２ベール支持部材と、
前記固定軸カバーと前記第２ベール支持部材とを連結するベールと、をさらに備える、請求項１から５のいずれか１項に記載のスピニングリールの釣り糸案内機構。
【請求項７】
前記非円形の外周部は、正Ｎ（Ｎ＝３から１０の整数）角形であり、先端面に工具を係止可能な工具係止部を有する、請求項１から６のいずれか１項に記載のスピニングリールの釣り糸案内機構。
【請求項８】
前記非円形の外周部は、前記正Ｎ角形の各片に前記回り止め部材の外周面に係合するように凹んで形成された回り止め凹部を有している、請求項７に記載のスピニングリールの釣り糸案内機構。
【発明の詳細な説明】
【技術分野】
【０００１】
本発明は、釣り糸案内機構、特に、第１ロータアームと、第１ロータアームと対向して配置された第２ロータアームとを有するロータに設けられ、釣り糸をスプールに案内するスピニングリールの釣り糸案内機構に関する。
【背景技術】
【０００２】
釣り糸を前方に繰り出すスピニングリールには、釣り糸が巻き付けられるスプールが前後方向に沿って配置されている。このスプールに釣り糸を案内して巻き付けるためにロータが設けられている。ロータは、リール本体に前後軸回りに回転自在に装着されており、ハンドルの回転に連動して回転する。ロータは、ハンドルの回転に連動して回転するピニオンギアの先端に一体回転可能に連結された有底筒状の連結部と、連結部の後部の対向する位置から連結部と間隔を隔てて前方に延びる第１及び第２ロータアームを有している。この第１及び第２ロータアームの先端に、釣り糸をスプールに案内する糸案内姿勢と、それから揺動した糸開放姿勢とに揺動自在に釣り糸案内機構が設けられている。
【０００３】
従来の釣り糸案内機構は、第１及び第２ロータアームにそれぞれ揺動自在に連結された第１及び第２ベール支持部材と、第１ベール支持部材に固定ボルトにより固定された固定軸と、固定軸に回転自在に支持されたラインローラと、固定軸と別体で形成された固定軸カバーと、固定軸カバーと一体成形され第２ベール支持部材と連結されたベールと、を有している（たとえば、特許文献１参照）。固定ボルトは第１ベール支持部材を貫通して固定軸の先端にねじ込まれており、円形の頭部を有している。第１ベール支持部材の表面には固定ボルトの頭部を収納して釣り糸が頭部に引っ掛かるのを防止するために円形の凹部が形成されている。
【先行技術文献】
【特許文献】
【０００４】
【特許文献１】特開２００６−４２７４０号公報
【発明の概要】
【発明が解決しようとする課題】
【０００５】
釣り糸案内機構では、糸巻取姿勢の状態で獲物がかかって釣り糸を巻き取るとき、釣り糸はラインローラに案内されてスプールに巻き取られる。このとき、釣り竿を上下にしゃくりながら巻き取ると、釣り糸の張力が大きく変化し、釣り糸を案内するラインローラに作用する負荷が変動する。ラインローラに作用する負荷の変動は、ドラグの作動の有無によっても生じることがある。このような負荷の変動によりラインローラを支持する固定軸がたわんだり元に戻ったりして僅かに揺れることがある。
【０００６】
従来の釣り糸案内機構では、固定軸が揺れると、固定軸にねじ込まれている固定ボルトに振動が伝わる。振動が固定ボルトに伝達されると、振動により固定ボルトが緩むおそれがある。
【０００７】
本発明の課題は、スピニングリールの釣り糸案内機構において、固定軸を第１ベール支持部材に固定する固定ボルトを緩みにくくすることにある。
【課題を解決するための手段】
【０００８】
発明１に係るスピニングリールの釣り糸案内機構は、第１ロータアームと、第１ロータアームと対向して配置された第２ロータアームと、を有するロータに設けられ、釣り糸をスプールに案内する機構である。この釣り糸案内機構は、第１ベール支持部材と、固定軸と、ラインローラと、固定軸カバーと、固定部材と、回り止め部材と、を備えている。第１ベール支持部材は第１ロータアームに揺動自在に装着されている。固定軸は、支持部と、支持部の先端部に形成され第１ベール支持部材に係合する係止部と、を有し、第１ベール支持部材に相対回転不能に固定されている。ラインローラは、固定軸の支持部に回転自在に支持され、釣り糸を案内する。固定軸カバーは固定軸の先端側に配置されている。固定部材は、非円形の外周部を有し、固定軸に螺合して固定軸を第１ベール支持部材に固定する。回り止め部材は、第１ベール支持部材に着脱自在に装着され、非円形の外周部に接触して固定部材を回り止め可能な部材である。
【０００９】
このスピニングリールの釣り糸案内機構では、非円形の外周部を有する、例えばナットやボルトなどの固定部材により固定軸が第１ベール支持部材に固定されている。この固定軸にラインローラが回転自在に支持され釣り糸をスプールに案内している。ここでは、固定部材の非円形の外周部には、回り止め部材が接触して固定部材が回り止めされている。このため、固定軸を第１ベール支持部材に固定する固定部材が緩みにくくなる。
【００１０】
発明２に係るスピニングリールの釣り糸案内機構は、発明１に記載の機構において、固定軸は雌ねじ部を有し、固定部材は、非円形の外周部としての非円形頭部を有し、雌ねじ部に螺合する固定ボルトである。また、第１ベール支持部材は、少なくとも１つのねじ込み穴を有し、回り止め部材は、第１ベール支持部材のねじ込み穴にねじ込まれ、固定部材を回り止めする回り止めボルトである。そして、第１ベール支持部材は、外側面から固定ボルトの非円形頭部及び回り止めボルトが突出しないように、固定ボルト及び回り止めボルトを収納可能な凹部を有している。
【００１１】
この場合には、固定ボルトの非円形頭部と回り止めボルトとが凹部に収納されるので、第１ベール支持部材の外側面からそれらが突出しなくなり、糸ふけしても釣り糸が第１ベール支持部材の外側面に引っ掛かりにくくなる。
【００１２】
発明３に係るスピニングリールの釣り糸案内機構は、発明１に記載の機構において、固定軸は雄ねじ部を有し、固定部材は雄ねじ部に螺合する固定ナットである。また、第１ベール支持部材は、少なくとも１つのねじ込み穴を有し、回り止め部材は、第１ベール支持部材のねじ込み穴にねじ込まれ、固定部材を回り止めする回り止めボルトである。そして、第１ベール支持部材は、外側面から固定ナットの非円形の外周部及び回り止めボルトが突出しないように、固定ナット及び回り止めボルトを収納可能な凹部を有している。
【００１３】
発明４に係るスピニングリールの釣り糸案内機構は、発明３に記載の機構において、回り止めボルトは、すり割り付きのホローセットスクリューである。この場合には、頭部を有さないホローセットスクリューにより固定部材を回り止めできるので、その分だけ回り止め部材を配置するスペースを小さくすることができ、回り止め部材を配置しても、第１ベール支持部材が大型化しにくくなる。しかも、ホローセットスクリューが六角穴付きではなく、すり割り付きであるので、サイズが小さいものであっても工具により回したときの変形を抑えることができる。
【００１４】
発明５に係るスピニングリールの釣り糸案内機構は、発明２から４のいずれかに記載の機構において、第１ベール支持部材の凹部は非円形である。また、第１ベール支持部材は２つのねじ込み穴を有し、２つのねじ込み穴は、非円形凹部内に固定部材の中心から同じ半径位置に回り止めボルトが非円形の外周部に接触可能に間隔を隔てて配置されている。
【００１５】
この場合には、たとえば、６角形や８角形などの正多角形の非円形部を有する固定部材を用いれば、２つのねじ込み穴の固定部材の中心からの中心角を、正多角形の各片の中心角と異ならせることにより、より非円形部の多くの位相で固定部材を回り止めできる。
【００１６】
発明６に係るスピニングリールの釣り糸案内機構は、発明４又は５に記載の機構において、第２ロータアームに揺動自在に装着された第２ベール支持部材と、固定軸カバーと第２ベール支持部材とを連結するベールと、をさらに備える。この場合には、ベールが設けられているので、キャスティング後に釣り糸をラインローラに容易に案内できる。
【００１７】
発明７に係るスピニングリールの釣り糸案内機構は、発明１から６のいずれかに記載の機構において、非円形部は、正Ｎ（Ｎ＝３から１０の整数）角形であり、先端面に工具を係止可能な工具係止部を有する。この場合には、固定部材に市販のボルト部材を使用できるので、固定部材のコストを削減できる。
【００１８】
発明８に係るスピニングリールの釣り糸案内機構は、発明７に記載の機構において、非円形部は、正Ｎ角形の各片に回り止め部材の外周面に係合するように凹んで形成された回り止め凹部を有している。この場合には、固定部材の外周面に係合するように凹んで形成された回り止め凹部に回り止め部材の外周面が係合するので、固定部材を確実に回り止めできる。
【発明の効果】
【００１９】
本発明によれば、固定部材の非円形部の外周面には、回り止め部材が接触して固定部材が回り止めされている。このため、固定軸を第１ベール支持部材に固定する固定部材が緩みにくくなる。
【図面の簡単な説明】
【００２０】
【図１】本発明の一実施形態が採用されたスピニングリールの側面図。
【図２】その側面断面図。
【図３】ハンドル把手の断面図。
【図４】ベールアームの分解斜視図。
【図５】第１ベール支持部材の平面図。
【図６】固定軸カバー付近のベールアームの断面拡大図。
【図７】スプールの断面図。
【図８】スプールの分解斜視図。
【図９】ドラグつまみ組立体の断面図。
【図１０】その分解斜視図。
【図１１】他の実施形態の図５に相当する図。
【図１２】さらに他の実施形態の図５に相当する図。
【図１３】さらにまた他の実施形態の図５に相当する図。
【図１４】その実施形態の図６に相当する図。
【発明を実施するための形態】
【００２１】
図１及び図２において、本発明の一実施形態を採用したスピニングリールは、ハンドル組立体１を回転自在に支持するリール本体２と、ロータ３と、スプール４とを備えている。ロータ３は、スプール４に釣り糸を巻き付けるものであり、リール本体２の前部に回転自在に支持されている。スプール４は、外周面に釣り糸を巻き取るものであり、ロータ３の前部に前後移動自在に配置されている。なお、ハンドル組立体１は、図１に示すリール本体２の左側と、リール本体２の右側とのいずれにも装着可能である。
【００２２】
ハンドル組立体１は、図１に示すように、ハンドル軸１０の先端に装着されるハンドルアーム８と、ハンドルアーム８の先端に装着されたハンドル把手９とを備えている。
【００２３】
〔ハンドル把手の構成〕
ハンドル把手９は、図３に示すように、ハンドルアーム８の先端にカシメ固定された把手軸１８に回転自在に装着されている。把手軸１８の基端側には、把手軸１８の軸方向の位置決め及びハンドル把手９を固定するための大径部９５が形成されている。
【００２４】
ハンドル把手９は、把手軸１８の外周側に装着される筒状の装着部９０と、装着部９０の外周面に接着により固定された略球状の把手部９１とを有している。装着部９０は、たとえば、ステンレス合金やアルミニウム合金等の金属製の部材である。装着部９０の内周部には、ハンドル把手９を把手軸１８で回転自在に支持するための１対の軸受９４ａ，９４ｂが軸方向に間隔を隔てて装着されている。装着部９０の先端側外周面には、キャップ９６を固定するための雄ねじ部９０ａが形成されている。また、把手軸１８の先端には、ハンドル把手９を把手軸１８に抜け止めするための抜け止めボルト９７がねじ込まれている。抜け止めボルト９７は、装着部９０の先端側に形成された軸受９４ｂ装着用の装着穴９０ｂ内で軸受９４ｂを介して装着部９０を把手軸１８に対して抜け止めしている。装着部９０の把手部９１の接着部分には、たとえば環状の接着剤溜まり９０ｃが形成されている。
【００２５】
把手部９１は、たとえば、炭素繊維強化樹脂製であり、薄肉の中空部材である。把手部９１は、ハンドルアーム８側に配置され外周面が略球状に形成された第１把手９２と、ハンドルアーム８と逆側に配置され外周面が第１把手９２より大径となる部分を一部に有する略球状に形成された第２把手９３とを有している。第１把手９２の内周面は筒状に形成されており、装着部９０の外周面に接着されている。第１把手９２と第２把手９３とは、把手部９１の外周部の最外径部Ｍ付近と、内周部の最外径部Ｍと同一軸方向位置付近と、で重ね合わされて接着により一体化されている。第１把手９２は、把手軸１８の軸芯Ｘから離反した位置を中心として球状に形成されている。
【００２６】
第２把手９３の外周面は、第１把手９２との接合部分からキャップ９６側にかけて点Ｐの位置まで第１把手９２と同じ半径で球状に形成され、点Ｐからキャップ９６が装着される部分まで、第１把手９２より大径の球状に形成されている。第２把手９３の内周面は、キャップの外周面に僅かな隙間をあけて筒状に形成されている。第２把手９３の内周部９３ａには、水抜き孔９３ｂが形成されている。水抜き孔９３ｂは、キャップ９６装着時にキャップ９６で塞がれて水が入りにくい位置に形成されている。第２把手９３の大径の球状部分は、軸芯Ｘを中心に球状に形成されている。
【００２７】
キャップ９６は、アルミニウム合金製の鍔９６ａ付き筒状の部材である。キャップ９６と第２把手９３の内周部９３ａとの間には、液体が把手部９１内に入るのを防止するための、たとえばＯリングからなるシール９８が装着されている。シール９８は、キャップ９６に形成された環状溝９６ｂに装着されている。環状溝９６ｂは、水抜き孔９３ｂより鍔９６ａに接近する位置に形成されている。
【００２８】
リール本体２は、図１及び図２に示すように、開口２ｄを有する、例えばアルミニウム合金製のリールボディ２ａと、開口２ｄを塞ぐようにリールボディ２ａに着脱自在に装着された、例えばアルミニウム合金製の蓋部材２ｂと、リールボディ２ａから斜め上前方に延びる竿取付脚２ｃとを有している。リールボディ２ａは、内部に空間を有しており、その空間内には、ロータ３をハンドル組立体１の回転に連動して回転させるロータ駆動機構５と、スプール４を前後に移動させて釣り糸を均一に巻き取るためのオシレーティング機構６とが設けられている。
【００２９】
ロータ駆動機構５は、図２に示すように、ハンドル組立体１のハンドル軸１０が固定されたメインギア軸１１ａとともに回転するメインギア１１と、このメインギア１１に噛み合うピニオンギア１２とを有している。ピニオンギア１２は筒状に形成されており、その前部１２ａはロータ３の中心部を貫通しており、ナット１３によりロータ３と固定されている。ピニオンギア１２は、その軸方向の中間部と後端部とが、リールボディ２ａに間隔を隔てて装着された軸受１４ａ，１４ｂに、よりリールボディ２ａに回転自在に支持されている。
【００３０】
オシレーティング機構６は、スプール４の中心部にドラグ機構６０を介して連結されたスプール軸１５を前後方向に移動させてスプール４を同方向に移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３は、ピニオンギア１２に噛み合っている。
【００３１】
スプール軸１５は、ピニオンギア１２の中心部を貫通して配置されている。スプール軸１５は、ピニオンギア１２の内部をオシレーティング機構６により前後に往復移動する。スプール軸１５は、中間部がナット１３内に装着された軸受１６により、後部がピニオンギア１２の後部内周面により、回転自在かつ軸方向移動自在に支持されている。スプール軸１５がピニオンギア１２と相対回転しながら前後移動するときに、ピニオンギア１２にスプール軸１５がかじりつくのを防止するために、スプール軸１５の表面には、無電解Ｎｉメッキが施されている。スプール軸１５の先端には、互いに平行な面で構成された回り止めのための係止面１５ａと、ドラグ調整用の雄ねじ部１５ｂとが形成されている。
【００３２】
〔ロータの構成〕
ロータ３は、図２に示すように、筒状の連結部３０と、連結部３０の側方に互いに対向して設けられた第１及び第２ロータアーム３１，３２とを有するロータ本体３３と、ロータ本体３３に揺動自在に装着されたベールアーム（釣り糸案内機構の一例）３４と、を有している。連結部３０と両ロータアーム３１，３２と有するロータ本体３３は、たとえばアルミニウム合金製であり一体成形されている。
【００３３】
連結部３０の前部には前壁３０ａが形成されており、前壁３０ａの中央部にはボス部３０ｂが形成されている。ボス部３０ｂの中心部には貫通孔３０ｃが形成されており、この貫通孔３０ｃをピニオンギア１２の前部１２ａ及びスプール軸１５が貫通している。前壁３０ａの前部にナット１３が配置されている。
【００３４】
第１ロータアーム３１は、連結部３０から外方に凸に湾曲して前方に延びており、連結部３０の周方向に広がり湾曲している。第２ロータアーム３２は、連結部３０から外方に凸に湾曲して前方に延びており、連結部３０との接続部は連結部３０の周方向に広がり湾曲している。なお、第２ロータアーム３２には、軽量化のために開口（図示せず）が形成されている。
【００３５】
〔ベールアームの構成〕
ベールアーム３４は、第１及び第２ロータアーム３１，３２の先端に糸解放姿勢と糸巻き取り姿勢との間で揺動自在に装着されている。ベールアーム３４は、図示しないベール反転機構により糸解放姿勢と糸巻き取り姿勢とに振り分けて付勢されている。
【００３６】
ベールアーム３４は、図２及び図４に示すように、第１ロータアーム３１の先端の外周側に揺動自在に装着された第１ベール支持部材４０と、第２ロータアーム３２の先端の外周側に揺動自在に装着された第２ベール支持部材４２と、第１ベール支持部材４０の先端装着されたラインローラ４１と、を有している。また、ベールアーム３４は、第１ベール支持部材４０の先端に固定され第１ベール支持部材４０に片持ち支持された固定軸４３と、固定軸４３の先端側に配置された固定軸カバー４４と、固定軸カバー４４と第２ベール支持部材とを連結するベール４５と、を有している。さらにベールアーム３４は、固定軸４３を第１ベール支持部材４０に固定する固定ボルト（固定部材の一例）４６と、固定ボルト４６を回り止めする回り止め部材４７と、を有している。
【００３７】
第１ベール支持部材４０は、図４から図６に示すように、たとえばクロムメッキにより形成された金属皮膜により外側面が覆われたアルミニウム合金製の部材である。このクロムムメッキにより表面が硬質になり、釣り糸の接触による外側面の傷付きを防止できる。第１ベール支持部材４０の外側面の先端側には、固定ボルト４６の頭部（非円形部の一例）４６ａが収納される第１収納凹部（非円形凹部の一例）４０ａが形成されている。また基端側には、第１ベール支持部材４０を第１ロータアーム３１に取り付けるための取付ボルト４９の頭部４９ａが収納される円形の第２収納凹部４０ｂが形成されている。第１収納凹部４０ａは、大小２つの円をつないだような概ね雨滴形状に凹んで形成されている。第１収納凹部４０ａの大径の円の中心Ｃ１には、固定ボルト４６が貫通する貫通孔４０ｃが形成されている。また、小径の円の中心Ｃ２には、回り止め部材４７がねじ込まれるねじ込み穴４０ｄが形成されている。さらに、内側面には、ラインローラ４１が配置される円形の第３収納凹部４０ｅが形成されている。
【００３８】
固定軸４３は、固定軸カバー４４と別体で形成されている。固定軸４３は、固定軸カバー４４を第１ベール支持部材４０に固定するとともに、ラインローラ４１を回転自在に支持するために設けられている。固定軸４３は大径の頭部４３ａと、頭部４３ａに続いて頭部４３ａより小径に形成された第１係止部４３ｂと、ラインローラ４１を支持する支持部４３ｃと、支持部４３ｃの先端に形成された第２係止部４３ｄと、を有している。固定軸４３の先端部には、固定ボルト４６が螺合する雌ねじ部４３ｅが形成されている。第１係止部４３ｂは、固定軸カバー４４に係合し、第２係止部４３ｄは、第１ベール支持部材４０に係合し、これらの係合により固定軸カバー４４と固定軸４３と第１ベール支持部材４０の回り止めがなされる。
【００３９】
固定ボルト４６は、非円形の頭部（非円形部の一例）４６ａを有しており、この実施形態では、頭部４６ａは、８角形の各片を円弧状に凹ませた８つの回り止め凹部４６ｂを有している。回り止め凹部４６ｂは、回り止め部材４７が係合可能な円弧で形成されている。したがって、その円弧の中心は回り止め部材４７の中心である小径の円の中心Ｃ２と実質的に一致するように形成されている。頭部４６ａの表面には、直径に沿ってドライバーなどの工具を係止するためのすり割り（工具係止部の一例）４６ｃが形成されている。固定ボルト４６により固定軸４３を固定する際には、回り止め凹部４６ｂが回り止め部材４７に係合可能な位置まで固定ボルト４６を締め付ける。
【００４０】
回り止め部材４７は、たとえば、すり割り４７ａが基端に形成されたホローセットスクリューであり、一般のボルトのように大径の頭部を有していない円柱状のボルトである。回り止め部材４７は、ねじ込み穴４０ｄの底部までねじ込まれて第１収納凹部４０ａに固定される。
【００４１】
ここでは、頭部を有さないホローセットスクリューにより固定ボルト４６を回り止めできるので、その分だけ回り止め部材４７を配置するスペースを小さくすることができ、回り止め部材４７を配置しても、第１ベール支持部材が大型化しにくくなる。しかも、ホローセットスクリューが六角穴付きではなく、すり割り付きであるので、サイズが小さいものであっても工具により回したときの変形を抑えることができる。
【００４２】
また、非円形の頭部４６ａを有する固定ボルト４６により固定軸４３が第１ベール支持部材４０に固定されている。この固定軸４３にラインローラ４１が回転自在に支持され釣り糸をスプール４に案内している。ここでは、固定ボルト４６の非円形の頭部４６ａの外周面には、回り止め部材４７が接触して固定ボルト４６が回り止めされている。このため、固定軸４３を第１ベール支持部材４０に固定する固定ボルト４６が緩みにくくなり、固定ボルト４６の緩みに起因する不具合、たとえば、ラインローラ４１のがたつきの発生を抑えることができる。スピニングリールの場合、ラインローラ４１ががたついたり位置が不安定になったりすると、糸ヨレが生じる原因になったり糸噛みが生じる原因になったりする。
【００４３】
固定軸カバー４４は、図４に示すように、略Ｕ状に湾曲させた形状のベール４５と、たとえば鍛造により一体形成されている。固定軸カバー４４には、固定軸４３を装着可能な大きく装着凹部４４ａが形成され、装着凹部４４ａの底部には、第１係止部４３ｂが係合するスロット４４ｂが形成されている。ベール４５の先端は、第２ベール支持部材４２にカシメ固定されている。
【００４４】
ラインローラ４１は、軸方向に間隔を隔てて配置された２つの軸受４８ａ，４８ｂにより固定軸４３に回転自在に支持されている。ラインローラ４１は、軸方向の中心に形成された小径のガイド溝４１ａを挟んで第１筒部４１ｂと第２筒部４１ｃとが形成されている。第１筒部４１ｂは、固定軸カバー４４内に入り込んでおり、第２筒部４１ｃより小径である。第２筒部４１ｃは、第１ベール支持部材４０の先端に形成された円形の第３収納凹部４０ｅ内に入り込んでいる。ラインローラ４１の内部には、軸受４８ａ，４８ｂを装着するためのカラーやスペーサやワッシャが装着されている。
【００４５】
図２に示すように、ロータ３の連結部３０の内部にはロータ３の逆転を禁止するための逆転防止機構５０が配置されている。逆転防止機構５０は、内輪が遊転するローラ型のワンウェイクラッチ５１を有している。この逆転防止機構５０は、ロータ３の糸繰り出し方向の逆転を常時禁止しており、逆転を許可する状態をとることはない。
【００４６】
〔スプールの構成〕
スプール４は、図２に示すように、ロータ３の第１ロータアーム３１と第２ロータアーム３２との間に配置されており、スプール軸１５の先端に装着されている。スプール４は、図７に示すように、外周に釣り糸が巻かれる、たとえばアルミニウム合金製の糸巻き胴部４ａと、糸巻き胴部４ａの後部に一体で形成されたスカート部４ｂと、糸巻き胴部４ａの前端に一体形成された前フランジ部４ｃとを有している。スプール４の内部には、設定されたドラグ力がスプール４に作用するようにスプール４を制動するドラグ機構６０と、ドラグ作動時に発音するドラグ発音機構８５と、が収納されている。
【００４７】
糸巻き胴部４ａは、円筒状の部材であり、外周面はスプール軸１５と平行な周面で構成されている。糸巻き胴部４ａは、釣り糸が巻き付けられる筒状部４ｄと、筒状部４ｄの内周面に一体形成された円板状の支持壁部４ｅと、支持壁部４ｅの内周側に形成された筒状の軸支部４ｆと、を有している。
【００４８】
スカート部４ｂは、糸巻き胴部４ａの後方から径方向に延びる後フランジ部４ｈと、後フランジ部４ｈの外周側から後方に筒状に延びる円筒部４ｉと、を有している。この円筒部４ｉの内側にロータ３の連結部３０が配置されている。
【００４９】
前フランジ部４ｃの外周面には、釣り糸を糸巻き胴部４ａからスムーズに放出するための金属製のスプールリング２０が装着されている。スプールリング２０は、先広がりの傾斜面２０ａを有している。スプールリング２０は、リング固定部材１９により前フランジ部４ｃに固定されている。リング固定部材１９は、前フランジ部４ｃから前方に突出する筒状の雌ねじ部４ｊに螺合している。
【００５０】
図７及び図８に示すように、糸巻き胴部４ａの内部において、支持壁部４ｅの前方には、ドラグ機構６０を収納するためのドラグ収納筒部５２が一体回転可能に装着されている。ドラグ収納筒部５２の前方には、軸支部４ｆとでスプール４をスプール軸１５に対して回転自在に支持するための支持筒部５３が装着されている。
【００５１】
ドラグ収納筒部５２の内部には、ドラグ機構６０の後述する摩擦部６２が収納されている。ドラグ収納筒部５２は、周方向に間隔を隔てて形成された複数（たとえば、８つ）の半円形の係止凹部５２ａを内周面に有している。また、スプール４の支持壁部４ｅに形成された複数（例えば４つ）の係合孔４ｇに係合する周方向に間隔を隔てて形成された複数（たとえば、４つ）の係合突起５２ｂを後面に有している。これにより、ドラグ収納筒部５２は、スプール４と一体回転する。
【００５２】
支持筒部５３は、糸巻き胴部４ａの筒状部４ｄの内周面に嵌合する装着筒部５３ａと、装着筒部５３ａの内周面に一体形成された円形壁部５３ｂと、円形壁部５３ｂの内周側に形成された筒状の軸支部５３ｃと、を有している。装着筒部５３ａの前側外周面５３ｅは、後側外周面５３ｆより大径に形成されて筒状部４ｄの内周面に嵌合している。この前側外周面５３ｅには、筒状部４ｄと支持筒部５３との隙間から液体の支持筒部５３の後方へ浸入するのを防止するためにＯリング５４が装着されている。Ｏリング５４は、支持筒部５３の前側外周面５３ｅに形成された環状溝５３ｄに装着されている。装着筒部５３ａの後面は、ドラグ収納筒部５２の前面に接触している。支持筒部５３は、その前方でスプール４内部に装着された線材製の抜け止めばね５５によりドラグ収納筒部５２とともに抜け止めされている。抜け止めばね５５は、糸巻き胴部４ａの前面とリング固定部材１９の後面との隙間でスプール４内に保持されている。
【００５３】
スプール軸１５の外周面には、スプール４をスプール軸１５に対して回転自在に支持するための２つの軸受５８ａ，５８ｂが装着される第１支持部５６及び第２支持部５７が嵌め込まれている。第１支持部５６は、スプール軸１５に回転可能に装着されている。第１支持部５６は、鍔部５６ａと鍔部５６ａより小径の筒部５６ｂとを有する鍔付き円筒状の部材である。第１支持部５６は、ドラグつまみ組立体６１と摩擦部６２との間に、両者に接触して配置されている。第１支持部５６の筒部５６ｂの外周面には、軸受５８ａの内輪がカシメ固定されている。軸受５８ａの外輪は、支持筒部５３の軸支部５３ｃに装着されている。これにより、第１支持部５６の筒部５６ｂの外周面に対して軸受５８ａを簡単に抜け止めできる。
【００５４】
第２支持部５７は、スプール軸１５の前側部分に形成された係止面１５ａの後部に固定されている。第２支持部５７は、小径部５７ａと大径部５７ｂとを有する大小二段の段付き筒状の部材である。小径部５７ａには、軸受５８ｂの内輪が装着されている。軸受５８ｂの外輪は、糸巻き胴部４ａの軸支部４ｆに装着されている。大径部５７ｂには、互いに平行な面で構成された第１係止面５７ｃと、第１係止面と直交する第２係止面５７ｄと、が形成されている。この第１係止面５７ｃを貫通するように配置された止めねじ５９により、第２支持部５７はスプール軸１５に回転不能に固定されている。止めねじ５９は、すり割り付きのホローセットスクリューを用いたものであり、第１係止面５７ｃを通って係止面１５ａを貫通するねじ孔にねじ込まれる。
【００５５】
このような構成のスプール４の支持構造では、糸巻き胴部４ａの支持壁部４ｅの前方に支持筒部５３を設け，支持筒部５３に軸受５８ａを配置したので、軸支部４ｆに２つの軸受を並べる従来の構成に比べて、２つの軸受５８ａ，５８ｂの軸方向の間隔を広くすることができる。このため、スプール４の支持間隔が広くなり、スプール４のがたつきを抑えることができる。
【００５６】
〔ドラグ機構の構成〕
ドラグ機構６０は、図７及び図８に示すように、スプール４の糸繰り出し方向への回転を制動してスプール４にドラグ力を作用させるための機構である。ドラグ機構６０は、スドラグ力を手で調整するためのドラグつまみ組立体６１と、ドラグつまみ組立体６１によりにスプール４側に押圧されてドラグ力が調整される、たとえば４枚のドラグ座金６２ａ〜６２ｄを有する摩擦部（ドラグ摩擦部の一例）６２と、を備えている。
【００５７】
〔ドラグつまみ組立体の構成〕
ドラグつまみ組立体６１は、図９及び図１０に示すように、第１部材６６及び第１部材６６に対して相対回転する第２部材６７を有するつまみ部６３と、つまみ部６３とスプール４との隙間をシールする第１シール部材６４と、第１部材６６と第２部材６７との隙間をシール第２シール部材６５と、第１部材６６と第２部材６７との相対回転により発音するつまみ発音機構６８（図１０）と、を有している。
【００５８】
つまみ部６３は、第１及び第２部材６６，６７に加えて第１及び第２部材６６，６７を軸方向移動不能かつ回転自在に連結する連結部材７４をさらに有している。
【００５９】
第１部材６６は、リング状の鍔部６６ａと、鍔部６６ａより小径の円筒部６６ｂとを有する鍔付き筒状の、例えばアルミニウム合金等の金属製の部材である。第１部材６６は、スプール軸１５に回転不能かつ軸方向移動自在に設けられている。鍔部６６ａの前端面には、つまみ発音機構６８を構成する音出し円板６９が一体回転可能に設けられている。
【００６０】
音出し円板６９は、合成樹脂製の部材であり、その前面には、周方向に間隔を隔てて多数の音出し凹部６９ａが形成されている。音出し円板６９の後面には、鍔部６６ａに形成された複数の連結孔６６ｅに嵌合する複数の連結突起６９ｂが形成されている。これにより音出し円板６９は、第１部材６６に対して回り止めされる。
【００６１】
円筒部６６ｂの内周部には、スプール軸１５の係止面１５ａに回転不能に係合する長円状の係止スロット６６ｃが形成されている。円筒部６６ｂの外周面の第１シール部材６４の装着部分の後部には、環状溝６６ｄが形成されている。この円筒部６６ｂの後端面が第１支持部５６を介して摩擦部６２のドラグ座金６２ａに当接する。
【００６２】
第２部材６７は、第１部材６６に対向して配置され、第１部材６６と相対回動自在に設けられている。第２部材６７は、スプール軸１５に螺合するとともに、鍔部６６ａを覆うように第１部材６６に向けて筒状に突出する部材である。第２部材６７は、つまみ体７１と、つまみ体７１に回転不能かつ軸方向移動自在に装着され、スプール軸１５に螺合するナット部７２と、ナット部７２と第１部材６６との間に圧縮状態で配置されたコイルばねからなるばね部材７３とを有している。
【００６３】
つまみ体７１は、円板部７５ａと、円板部７５ａより小径の筒状の突出部７５ｂと、を有する合成樹脂製のつまみ本体７５と、つまみ本体７５の前面に固定された金属製の円板状のカバー部７６と、カバー部７６の前面に径方向に沿って固定された金属製の操作つまみ７７と、を有している。
【００６４】
つまみ本体７５の円板部７５ａの背面側からは、４本のボルト部材８０ａ〜８０ｄが挿入され，カバー部７６を貫通して操作つまみ７７にねじ込まれている。これにより、カバー部７６と操作つまみ７７がつまみ本体７５に固定される。
【００６５】
突出部７５ｂは、第１部材６６の鍔部６６ａを覆うように第１部材６６に向けて筒状に突出している。突出部７５ｂで覆われた第１部材６６の鍔部６６ａは、突出部７５ｂの内周面に装着された連結部材７４により抜け止めされている。これにより、第１部材６６と第２部材６７とが相対回転自在かつ軸方向移動不能に連結される。つまみ本体７５の内周部には、ナット部７２が軸方向移動自在かつ一体回転可能に収納されるナット収納部７５ｃが形成されている。
【００６６】
カバー部７６は、つまみ本体７５の円板部７５ａの前面及び外周面の一部を覆うように形成されている。この結果、ドラグつまみ組立体６１の機構部分を構成する合成樹脂製のつまみ本体７５はスプール４内に隠れて外部に露出しなくなる。カバー部７６の前面は、中心部分に向けて徐々に厚みが薄くなるように凹んでいる。操作つまみ７７は、カバー部７６の直径に沿って配置され、前方に突出している。
【００６７】
連結部材７４は、弾性を有する金属線材を折り曲げて形成された部材である。連結部材７４は、略正方形の角に相当する４つの角部７４ａを有するＣ字状のばね部材である。連結部材７４は、突出部７５ｂの内周面に形成された環状溝に角部７４ａが係止されることにより突出部７５ｂの内周面に装着されている。連結部材７４は、角部７４ａの間の３つの円弧部７４ｂが鍔部６６ａの後面に接触することにより、鍔部６６ａを抜け止めしている。
【００６８】
ナット部７２は、たとえば六角ナットであり、スプール軸１５の先端外周面に形成された雄ねじ部１５ｂに螺合し、つまみ本体７５の回動に応じてばね部材７３を圧縮する。
【００６９】
第１シール部材６４は、たとえば合成ゴム製の円板状の部材である。第１シール部材６４は、スプール４の支持筒部５３の装着筒部５３ａの内周面と第１部材６６の円筒部６６ｂの外周面との間に配置されている。第１シール部材６４は、環状溝６６ｄに装着された止め輪７０により後方への移動を規制されている。第１シール部材６４は、内周面が第１部材６６の円筒部６６ｂに装着され、外周部が支持筒部５３の装着筒部５３ａの内周面に接触している。第１シール部材６４の内部には、たとえばステンレス合金製の円板状の補強板８１が埋設されている。補強板８１は、第１シール部材６４の成形時に金型内に挿入され、インサート成形されている。第１シール部材６４の外周部には、装着筒部５３ａの内周面に接触する先細り断面のリップ部６４ａが形成されている。リップ部６４ａは前方に向けて傾斜している。また、径方向の途中には、前方に突出する断面三角形状の環状突起部６４ｂが形成されている。この環状突起部６４ｂが第２シール部材６５の背面に接触する。また、第１シール部材６４のリップ部６４ａの前面も第２シール部材６５の外周面の後端部に接触している。
【００７０】
第２シール部材６５は、たとえば、合成ゴム製の有底筒状の部材である。第２シール部材６５は、第１シール部材６４と第２部材６７との間に配置されている。第２シール部材６５は、第２部材６７のつまみ本体７５の突出部７５ｂの外周面に接触可能な筒状の接触部６５ａと、接触部６５ａの内周側に形成され突出部７５ｂの後端面に係合する環状凹部６５ｂと、第１部材６６の円筒部６６ｂの外周面に装着される円板部６５ｃと、を有している。
【００７１】
このような構成のドラグつまみ組立体６１では、第１部材６６と第２部材６７との間に配置された２シール部材６５が、第２部材６７の突出部７５ｂの外周面に接触する筒状の接触部６５ａを有しており、この第２シール部材６５により第１部材６６と第２部材６７との隙間がシールされる。また、スプール４と第１部材６６との間に配置された第１シール部材６４によりスプール４と第１部材６６との間がシールされる。ここでは、第２シール部材６５が筒状の接触部６５ａで第２部材６７のつまみ本体７５の突出部７５ｂの外周面に接触している。このため、第１シール部材６４と第２シール部材６５とを一体形成した場合に、第１シール部材６４に水圧が作用して押し下げられても、第２シール部材６５が変形しにくくなる。このため、２つのシール部材６４，６５に水圧が作用しても、第１部材６６と第２部材６７との間からドラグつまみ組立体の内部に液体が流入しにくくなる。しかも、第１シール部材と第２シール部材と別体であるので、第１シール部材６４が変形しても第２シール部材６５はより変形しにくくなり、ドラグつまみ組立体６１の内部に液体がさらに流入しにくくなる。
【００７２】
つまみ発音機構６８は、図１０に示すように、音出し凹部６９ａを有す音出し円板６９と、つまみ本体７５に進退自在に装着された打撃ピン（打撃部材の一例）８２と、打撃ピン８２を音出し凹部６９ａに向けて付勢するコイルバネ８３とを有している。打撃ピン８２は、中央部分が大径で先端及び後端が小径でさらに先端が半球状に丸められたピンであり、ドラグ操作時に第２部材６７と第１部材６６とが相対回転すると、音出し凹部６９ａとの衝突を繰り返して発音する。
【００７３】
〔摩擦部の構成〕
摩擦部６２のドラグ座金６２ａは、図８に示すように、第１部材６６に第１支持部５６を介して接触し、かつスプール軸１５に対して回転不能な金属製の円板部材である。ドラグ座金６２ｂは、スプール４に対して一体回転可能な金属製の円板部材である。ドラグ座金６２ｃは、ドラグ座金６２ａと同様にスプール軸１５に対して回転不能な金属製の円板部材である。ドラグ座金６２ｄは、スプール４及びスプール軸１５に対して回転自在なたとえばフェルト製又はグラファイト製の円板部材である。ドラグ座金６２ａ，６２ｃの中心部には、スプール軸１５の先端側に形成された係止面１５ａに係合する長円形の係止スロット６２ｅが形成されている。ドラグ座金６２ｂの外周面には、径方向外方に突出する複数（たとえば８つ）の耳部６２ｆが形成されている。この耳部６２ｆは、ドラグ収納筒部５２の内周面に周方向に間隔を隔てて配置され、軸方向に沿って形成された複数の係止凹部５２ａに係止されている。これにより、ドラグ座金６２ｂは、スプール４に対して一体回転可能になっている。
【００７４】
ドラグ座金６２ａ〜６２ｄは、支持筒部５３を支持する第１支持部５６により抜け止めされている。したがって、支持筒部５３の前方に配置された抜け止めばね５５を外さないと、ドラグ座金６２ａ〜６２ｄは着脱できない。
【００７５】
ドラグ発音機構８５は、ドラグの作動によりスプール軸１５とスプール４とが相対回転すると発音する機構である。ドラグ発音機構８５は、図８に示すように、スプール４の後フランジ部４ｈの背面に装着されスプール４と一体回転する第１発音部材８６と、第１発音部材８６に対して打撃を繰り返し第２発音部材８７と、を有している。
【００７６】
第１発音部材８６は、鍔付き円筒形状であり、内周面に円弧状の多数の音出し凹部８６ａが形成された金属製の部材である。第１発音部材８６の後面には銘版８８が配置され、銘版８８とともに、第１発音部材８６は後フランジ部４ｈの背面にねじ止めされている。
【００７７】
第２発音部材８７は、音出し凹部８６ａに向けて進退する２つの打撃ピン８７ａと、２つの打撃ピン８７ａを音出し凹部８６ａに向けて付勢する２つのばね部材８７ｂと、を有している。打撃ピン８７ａは、第２支持部５７の第２係止面５７ｄに回転不能に係合する筒状の収納部材８９に収納されている。収納部材８９は、打撃ピン８７ａを進退可能に収納する２つの収納溝８９ｃを有する厚肉円筒状の収納本体部８９ａと、収納本体部８９ａにねじ止めされて収納溝８９ｃを塞ぐとともに、第２係止面５７ｄに係合する円板状のカバー８９ｂと、を有している。収納本体部８９ａの２つの収納溝８９ｃは、収納本体部８９ａの外周面に開口しており、開口側の２つの収納溝８９ｃの間隔が狭くなるように形成されている。カバー８９ｂの内周面には、第２係止面５７ｄに係合する係止スロット８９ｄが形成されている。収納部材８９と、スプール４の支持壁部４ｅとの間にはワッシャ１０１が配置されている。
【００７８】
カバー８９ｂの後面には、第２支持部５７の第１係止面５７ｃに係合する、たとえば合成樹脂製の３枚のスプール位置調整ワッシャ１０２と、スプール４の後方への移動を規制する２枚の規制ワッシャ１０３，１０４とが装着されている。規制ワッシャ１０３，１０４は、スプール軸１５の係止面１５ａに係合する係止スロット１０３ａ，１０４ａが内周部に形成されており、スプール軸１５に対して回転不能である。規制ワッシャ１０４は、段付きワッシャであり、規制ワッシャ１０３とで第３シール部材１０５を保持している。第３シール部材１０５の外周部は、第１発音部材８６の内周面に接触している。第３シール部材１０５は、スプール４の後面から摩擦部６２を含むスプール４内部への液体の流入を防止するために設けられている。
【００７９】
〔リールの操作及び動作〕
釣りを行う前に魚の大きさや種類に合わせてドラグ力を調整する。ドラグ力を調整するには、ドラグつまみ組立体６１を回す。ドラグつまみ組立体６１をたとえば時計回りに回すと、スプール軸１５に螺合するナット部７２によりばね部材７３を介して第１部材６６が摩擦部６２側に押圧される。これによりドラグ力が大きくなる。このとき、第１部材６６と第２部材６７との相対回転により打撃ピン８２が音出し凹部６９ａへの衝突を所定間隔で繰り返し、歯切れがよい軽快なクリック音が発生する。
【００８０】
キャスティング時には、ベールアーム３４を糸開放姿勢に反転させる。これにより第１ベール支持部材４０及び第２ベール支持部材４２が揺動する。この状態で釣り竿を握る手の人差し指で釣り糸を引っかけながら釣り竿をキャスティングする。すると釣り糸は仕掛けの重さにより勢いよく放出される。この状態でハンドル組立体１を糸巻取方向に回転させると、ロータ駆動機構５によりロータ３が糸巻取方向に回転し、ベールアーム３４がベール反転機構（図示せず）により糸巻取位置に復帰し、釣り糸がベール４５からラインローラ４１に移動してスプール４に巻き付けられる。
【００８１】
釣りを行っているときに、大きな魚がかかってラインローラ４１への負荷が大きくなると、負荷の変動により第１ベール支持部材４０に片持ち支持された固定軸４３が僅かに傾いて振動することがある。このような場合に、本実施形態では、固定軸４３を第１ベール支持部材４０に固定するための固定ボルト４６が回り止め部材４７により回り止めされているので、固定ボルト４６が緩みにくくなる。
【００８２】
釣りを行った後にスピニングリールを真水が入ったバケツなどに浸けて洗浄する場合、水圧により第１シール部材６４が後方に押し下げられて変形することがある。第１シール部材６４で第１部材６６と第２部材６７との隙間をシールしようとすると、第１シール部材６４の変形によりその隙間からドラグつまみ組立体６１の内部に液体が流入するおそれがある。しかし、本実施形態では、第２部材の突出部７５ｂの外周面に接触する筒状の接触部６５ａを第２シール部材６５に設けたので、第１シール部材６４が水圧により変形しても、ドラグつまみ組立体６１の内部に液体が浸入しにくい。このため、ドラグつまみ組立体６１の内部からスプール軸１５の外周部を通って摩擦部６２に液体が流入しにくくなり、摩擦部６２の濡れによるドラグ力の変動が生じにくくなる。
【００８３】
〔他の実施形態〕
（ａ）前記実施形態では、固定ボルト４６として八角形の頭部４６ａの各片に回り止め凹部４６ｂを設けた特殊なボルト部材を用いたが、固定ボルト４６は回り止め可能な非円形の頭部を有するものであれば、どのような形態でもよい。特に、頭部が正Ｎ（Ｎ＝３から１０の整数）形であると、市販のボルト部材を使用できるので、固定ボルトのコストを削減できる。
【００８４】
図１１において、固定ボルト１４６は、六角形の頭部（非円形部の一例）１４６ａを有する六角ボルトである。回り止め部材４７は、前記実施形態と同様なホローセットスクリューであり、六角の各片に接触して固定ボルトを回り止めする。
【００８５】
（ｂ）前記実施形態では、頭部を有さないホローセットスクリューで回り止め部材を構成したが、頭部を有するボルト部材で回り止め部材を構成してもよい。なお、回り止め部材は非円形の頭部に係合するものであればどのようなものでもよく、頭部に係合する板状の部材であってもよい。
【００８６】
図１２において、固定ボルト４６は、前記実施形態と同様である。回り止め部材２４７は、円形の頭部２４７ａを有する丸頭小ネジである。また、回り止め部材２４７がねじ込まれるねじ込み穴２４０ｄが第１ベール支持部材２４０の第１収納凹部（非円形凹部の一例）２４０ａ内の２箇所に設けられている。２つのねじ込み穴２４０ｄは、八角形の頭部２４７ａの各片の中心角β（４５度）と異なる中心角α（たとえば、３０度から９０度の範囲）となるような同一半径位置に形成されている。第１収納凹部２４０ａは、大径の円と小径の２つの円とを直線で結んだような形状の凹部である。この大径の円の中心に固定ボルト４６が貫通する貫通孔２４０ｃが形成され、２つの小径の円の中心に２つのねじ孔２４９ｄが形成されている。
【００８７】
２つのねじ込み穴２４０ｄのうち使用していないねじ込み穴（図１２では、左側のねじ込み穴２４０ｄ）を塞ぐためのカバー部材２４８が第１収納凹部２４０ａ内の頭部２４６ａ配置部分の外側に装着されている。カバー部材２４８は、回り止め部材２４７により第１収納凹部２４０ａに固定されている。したがって、カバー部材２４８には、回り止め部材２４７が貫通する貫通孔２４８ａがねじ込み穴２４０ｄに対向可能な位置にねじ込み穴２４０ｄより大径に形成されている。カバー部材２４８は、第１収納凹部２４０ａ及び頭部２４６ａの回り止め凹部２４６ｂに係合する外形形状を有する板状部材であり、この実施形態では、回り止め部材２４７とともに、頭部２４６ａの回り止め部材としても機能している。したがって、カバー部材２４８だけで回り止めする場合には、回り止め部材２４７の頭部２４７ａを回り止め凹部２４６ｂに係合させないでもよい。
【００８８】
このような構成の実施形態では、第１収納凹部２４０ａ内の２箇所のいずれかで回り止めできるので、より細かな位相で頭部２４６ａを回り止めできる。なお、左側のねじ込み穴２４０ｄで回り止めする場合、カバー部材２４８を表裏反転させて使用する。
【００８９】
（ｃ）前記実施形態では、ベール４５を有する釣り糸案内機構を例に本発明を説明したが、本発明は、ロータに設けられた全ての釣り糸案内機構に適用でき、たとえば、ベールを有さないベールレスの釣り糸案内機構にも適用できる。
【００９０】
（ｄ）前記実施形態では、回り止め部材４７の外周面に係合するように回り止め凹部４６ｂを円弧状に凹んで形成したが、回り止め凹部の形状は前記実施形態に限定されず、たとえば、Ｖ字状に形成してもよいし、台形形状に形成してもよい。
【００９１】
（ｅ）前記実施形態では、固定軸４３と固定軸カバー４４とが別体であったが、固定軸と固定軸カバーとが一体のベールアームにも本発明を適用できる。
【００９２】
（ｆ）前記実施形態では、固定部材として固定ボルトを例に本発明を説明したが、固定部材はナットでもよい。
【００９３】
図１３及び図１４において、ベールアームにおいて、第１ベール支持部材３４０と、固定軸３４３と、固定ナット（固定部材の一例）３４６以外の構成は、前述した図５及び図６の実施形態と同様な構成であるため説明を省略する。
【００９４】
第１ベール支持部材３４０は、図１３及び図１４に示すように、たとえばクロムメッキにより形成された金属皮膜により外側面が覆われたアルミニウム合金製の部材である。このクロムムメッキにより表面が硬質になり、釣り糸の接触による外側面の傷付きを防止できる。第１ベール支持部材３４０の外側面の先端側には、第１収納凹部（非円形凹部の一例）３４０ａが形成されている。第１収納凹部３４０ａは、固定ナット３４６の外周部（非円形部の一例）３４６ａを収納可能であるとともに、外周部３４６ａを係止して固定ナット３４６を回すための工具（例えば、ソケットレンチ）を装着可能な大きさである。また基端側には、第１ベール支持部材３４０を第１ロータアーム３１に取り付けるための取付ボルト４９の頭部４９ａが収納される円形の第２収納凹部３４０ｂが形成されている。
【００９５】
第１収納凹部３４０ａは、大小２つの円をつないだような概ね雨滴形状に凹んで形成されている。第１収納凹部３４０ａの大径の円の中心Ｃ３には、固定ナット３４６に螺合する固定軸３４３の雄ねじ部３４３ｅが貫通する貫通孔３４０ｃが形成されている。なお、第１収納凹部３４０ａの大径の部分の直径は、図５及び図６に示す実施形態の第１収納凹部４０ａの直径より工具を装着できるようにするために大きくなっている。また、小径の円の中心Ｃ２には、回り止め部材４７がねじ込まれるねじ込み穴３４０ｄが形成されている。さらに、内側面には、ラインローラ４１が配置される円形の第３収納凹部３４０ｅが形成されている。
【００９６】
固定軸３４３は、固定軸カバー４４と別体で形成されている。固定軸３４３は、固定軸カバー４４を第１ベール支持部材３４０に固定するとともに、ラインローラ４１を回転自在に支持するために設けられている。固定軸３４３は大径の頭部３４３ａと、頭部３４３ａに続いて頭部３４３ａより小径に形成された第１係止部３４３ｂと、ラインローラ４１を支持する支持部３４３ｃと、支持部３４３ｃの先端に形成された第２係止部３４３ｄと、を有している。固定軸３４３の先端部には、固定ナット３４６が螺合する雄ねじ部３４３ｅが貫通孔３４０ｃを貫通して第１収納凹部３４０ａの底面から突出するように形成されている。第１係止部３４３ｂは、固定軸カバー４４に係合し、第２係止部３４３ｄは、第１ベール支持部材３４０に係合し、これらの係合により固定軸カバー４４と固定軸３４３と第１ベール支持部材３４０の回り止めがなされる。
【００９７】
固定ナット３４６は、例えば袋ナットであり、非円形の外周部３４６ａを有している。外周部３４６ａは、たとえば正Ｎ（Ｎ＝３から１０の整数）角形であり、この実施形態では六角形である。外周部３４６ａの辺には、回り止め部材４７が接触可能である。
【００９８】
なお、図５及び図６の実施形態のように正Ｎ角形の辺を円弧状に凹ませたものでもよい。また、この実施形態では、非円形の外周部３４６ａが工具係止部３４６ｃを兼ねている。したがって、工具係止用のすり割りは形成されていない。しかし、外周部３４６ａは、非円形の外形であればよく、すり割りや六角孔等の工具係止部を外周部３４６ａと別に設けても良い。
【００９９】
固定ナット３４６により固定軸３４３を固定する際には、正Ｎ角形の外周部３４６ａの各辺のいずれかが回り止め部材４７に係合可能な位置まで工具を用いて固定ナット３４６を締め付ける。そして、回り止め部材４７をねじ込むことにより固定ナット３４６が回り止めされる。
【０１００】
このような実施形態でも、前記実施形態と同様な作用効果を奏する。
【符号の説明】
【０１０１】
３  ロータ
３１  第１ロータアーム
３２  第２ロータアーム
３４  ベールアーム
４０，２４０，３４０  第１ベール支持部材
４０ａ，２４０ａ，３４０ａ  第１収納凹部
４０ｄ，２４０ｄ  ねじ込み穴
４１  ラインローラ
４２  第２ベール支持部材
４３，３４３  固定軸
４３ｅ  雌ねじ部
４４  固定軸カバー
４５  ベール
４６，１４６  固定ボルト
４６ａ，１４６ａ  頭部
４６ｂ  回り止め凹部
４６ｃ  すり割り
４７，２４７  回り止め部材
３４３ｅ  雄ねじ部
３４６  固定ナット
３４６ａ  外周部
３４６ｃ  工具係止部
【図１】
2012105672.tif 000003
【図２】
2012105672.tif 000004
【図３】
2012105672.tif 000005
【図４】
2012105672.tif 000006
【図５】
2012105672.tif 000007
【図６】
2012105672.tif 000008
【図７】
2012105672.tif 000009
【図８】
2012105672.tif 000010
【図９】
2012105672.tif 000011
【図１０】
2012105672.tif 000012
【図１１】
2012105672.tif 000013
【図１２】
2012105672.tif 000014
【図１３】
2012105672.tif 000015
【図１４】
2012105672.tif 000016